(57)【要約】【課題】プレゼンテーションを実施しながら、その様子を記録したり出力したりするためのシステムの装置構成を簡易化することができるプロジェクターを提供する。【解決手段】プロジェクター１は、画像信号が入力される画像信号入力部（入力端子群３０）と、光源１１と、光源１１から射出された光を画像信号に応じて変調して画像を形成する光変調装置（液晶ライトバルブ１２）と、光変調装置で形成された画像を投写する投写光学系（投写レンズ１３）と、投写光学系によって投写された投写画像領域を含む領域を撮像する撮像部４０と、撮像部４０が撮像した撮影画像を符号化して符号化データにするエンコーダー部５０と、符号化データを所定の通信手段を介して出力するデータ出力部（ＵＳＢ通信部５１）と、を備える。【選択図】図１
2010178254.tif 000002
【特許請求の範囲】
【請求項１】
画像信号が入力される画像信号入力部と、
光源と、
前記光源から射出された光を前記画像信号に応じて変調して画像を形成する光変調装置
と、
前記光変調装置で形成された画像を投写する投写光学系と、
前記投写光学系によって投写された投写画像領域を含む領域を撮像する撮像部と、
前記撮像部が撮像した撮影画像を符号化して符号化データにするエンコーダー部と、
前記符号化データを所定の通信手段を介して出力するデータ出力部と、
を備えることを特徴とするプロジェクター。
【請求項２】
請求項１に記載のプロジェクターであって、
音声を入力する音声入力部をさらに有し、
前記エンコーダー部は、前記撮影画像および前記音声入力部から入力された前記音声を
符号化して符号化データにすることを特徴とするプロジェクター。
【請求項３】
請求項１または２に記載のプロジェクターであって、
前記データ出力部は、前記符号化データを、所定の通信手段としてＵＳＢ規格に準拠し
た通信手段を介して、外部に出力することを特徴とするプロジェクター。
【請求項４】
請求項１または２に記載のプロジェクターであって、
前記データ出力部は、前記符号化データを、所定の通信手段としてＩＰネットワーク通
信を用いた通信手段を介して、外部に出力することを特徴とするプロジェクター。
【請求項５】
請求項１または２に記載のプロジェクターであって、
前記データ出力部は、前記符号化データを、所定の通信手段として携帯電話端末とデー
タ通信を行うための通信手段を介して、前記携帯電話端末に出力することを特徴とするプ
ロジェクター。
【発明の詳細な説明】
【技術分野】
【０００１】
本発明は、プロジェクターに関する。
【背景技術】
【０００２】
従来、プレゼンテーション等において、プレゼンターの映像と、プレゼンテーション実
施端末からの出力映像とを入力して、会議録として記録したり、出力したりする装置が提
案されていた。例えば、プレゼンテーションを行うプレゼンターをデジタルビデオカメラ
を用いて撮影した映像情報と、プレゼンテーション実施端末（パーソナルコンピューター
等）から出力されたプレゼンテーションの資料情報とを入力し、プレゼンテーションの記
録として再構成してマルチメディアファイルを生成し、前記資料情報等の情報をプロジェ
クター等の映像出力装置に出力させるマルチメディアコンテンツ生成装置が開示されてい
る（特許文献１）。
【０００３】
【特許文献１】特開２００５−２５２５７４号公報
【発明の開示】
【発明が解決しようとする課題】
【０００４】
しかし、特許文献１のように、プレゼンターの映像と、プレゼンテーション実施端末か
らの出力映像とを入力して、マルチメディアコンテンツとして記録したり、出力したりす
るためには、デジタルビデオカメラや、パーソナルコンピューター等の画像供給装置、プ
ロジェクター等の映像出力装置、マルチメディアコンテンツ生成装置等を備えたシステム
を構成しなければならなかった。このようにプレゼンテーション等を実施しながら、その
様子を記録したり出力したりするためのシステムでは、多くの装置が必要な上、その設置
や配線が煩雑であり、装置構成を簡易化することにおいて課題があった。
【課題を解決するための手段】
【０００５】
本発明は、上述の課題の少なくとも一部を解決するためになされたものであり、以下の
形態または適用例として実現することが可能である。
【０００６】
［適用例１］本適用例に係るプロジェクターは、画像信号が入力される画像信号入力部
と、光源と、前記光源から射出された光を前記画像信号に応じて変調して画像を形成する
光変調装置と、前記光変調装置で形成された画像を投写する投写光学系と、前記投写光学
系によって投写された投写画像領域を含む領域を撮像する撮像部と、前記撮像部が撮像し
た撮影画像を符号化して符号化データにするエンコーダー部と、前記符号化データを所定
の通信手段を介して出力するデータ出力部と、を備えることを特徴とする。
【０００７】
このようなプロジェクターによれば、投写光学系は、画像信号入力部から入力した画像
信号に応じた画像を投写する。そして、撮像部は、投写画像領域を含む領域を撮像する。
そして、エンコーダー部は、撮影画像を符号化して符号化データに変換する。そして、デ
ータ出力部は、所定の通信手段を介して符号化データを出力する。つまり、当該プロジェ
クターは、投写光学系によって投写された投写画像領域を含む領域を撮像した撮影画像を
、符号化して、所定の通信手段を介して外部へ出力する。このようなプロジェクターを用
いることにより、画像の投写と、投写画像領域およびその周辺の撮像と、撮影画像の符号
化データへの変換と、その符号化データの送信や記録と、を行うためのシステムの装置構
成を簡易化することができる。即ち、プレゼンテーション等を実施し、その様子の映像を
送信したり記録したりするためのシステムの装置構成を簡易化することができる。
【０００８】
［適用例２］上記適用例に係るプロジェクターにおいて、音声を入力する音声入力部を
さらに有し、前記エンコーダー部は、前記撮影画像および前記音声入力部から入力された
前記音声を符号化して符号化データにすることを特徴とする。
【０００９】
このようなプロジェクターによれば、音声入力部は音声を入力する。そして、エンコー
ダー部は、撮影画像および音声を符号化して符号化データにする。つまり、当該プロジェ
クターは、撮影画像および音声を、符号化して所定の通信手段を介してプロジェクター外
部へ出力する。このようなプロジェクターを用いることにより、画像の投写と、投写画像
領域およびその周辺の撮像と、音声の入力と、撮影画像および音声の符号化データへの変
換と、その符号化データの送信や記録と、を行うためのシステムの装置構成を簡易化する
ことができる。即ち、プレゼンテーション等を実施し、その様子の映像および音声を送信
したり記録したりするためのシステムの装置構成を簡易化することができる。
【００１０】
［適用例３］上記適用例に係るプロジェクターにおいて、前記データ出力部は、前記符
号化データを、所定の通信手段としてＵＳＢ規格に準拠した通信手段を介して、外部に出
力することを特徴とする。
【００１１】
このようなプロジェクターによれば、データ出力部は、符号化データをＵＳＢ（Univer
sal Serial Bus）規格に準拠した通信手段で、プロジェクター外部に出力する。これによ
り、例えば、プロジェクターは、ＵＳＢケーブルを用いてパーソナルコンピューター（以
降、「ＰＣ」と呼ぶ）と接続して、符号化データを出力することができる。そして、ＰＣ
は、入力した符号化データを記録媒体に記録したり、再生したりすることができる。また
、ＰＣは、符号化データをネットワークに送信することもできる。
【００１２】
［適用例４］上記適用例に係るプロジェクターにおいて、前記データ出力部は、前記符
号化データを、所定の通信手段としてＩＰネットワーク通信を用いた通信手段を介して、
外部に出力することを特徴とする。
【００１３】
このようなプロジェクターによれば、データ出力部は、符号化データをＩＰ（Internet
Protocol）ネットワーク通信を用いた通信手段を介して、プロジェクター外部に出力す
る。これにより、例えば、プロジェクターは、ネットワークケーブルを用いて、ネットワ
ークに符号化データを送信することができる。そして、ネットワークに接続された他の情
報機器は、符号化データを受信して視聴したり、記録したりすることが可能となる。
【００１４】
［適用例５］上記適用例に係るプロジェクターにおいて、前記データ出力部は、前記符
号化データを、所定の通信手段として携帯電話端末とデータ通信を行うための通信手段を
介して、前記携帯電話端末に出力することを特徴とする。
【００１５】
このようなプロジェクターによれば、データ出力部は、符号化データを携帯電話端末と
データ通信を行うための通信手段を介して、プロジェクター外部の携帯電話端末に出力す
る。これにより、例えば、プロジェクターは、符号化データを携帯電話端末内部の記録媒
体に記録したり、携帯電話端末からインターネット等に送信したりすることが可能となる
。
【発明を実施するための最良の形態】
【００１６】
以下、実施形態について説明する。
【００１７】
（第１の実施形態）
図１は、第１の実施形態に係るプロジェクターの概略構成を示すブロック図である。図
１を使用して、プロジェクター１の内部構成について説明する。
【００１８】
プロジェクター１は、画像投写部１０、制御部２０、入力操作部２１、光源制御部２２
、通信制御部２３、画像信号入力部としての入力端子群３０、入力選択部３１、画像処理
部３２、撮像部４０、マイク４１、音声入力部４２、エンコーダー部５０、データ出力部
としてのＵＳＢ通信部５１等を備えている。また、図１では、プロジェクター１の外部に
ＰＣ２００、および、スクリーンＳＣを図示している。
【００１９】
画像投写部１０は、超高圧水銀ランプやメタルハライドランプ等の放電型光源や、ＬＥ
Ｄ（Light Emitting Diode）等の固体光源からなる光源としての光源１１と、光変調装置
としての液晶ライトバルブ１２と、投写光学系としての投写レンズ１３と、液晶ライトバ
ルブ１２を駆動するライトバルブ駆動部１４とを備えている。
【００２０】
液晶ライトバルブ１２は、一対の透明基板間に液晶が封入された透過型液晶パネル等に
よって構成される。ライトバルブ駆動部１４の駆動によって、液晶ライトバルブ１２の各
画素に画像信号に応じた駆動電圧が印加されると、各画素は、画像信号に応じた光透過率
で光源光を透過させる。
【００２１】
光源１１から射出された光は、この液晶ライトバルブ１２を透過することによって変調
され、変調後の光が投写レンズ１３によって投写されることにより、スクリーンＳＣ等に
画像信号に応じた画像が表示される。
【００２２】
制御部２０は、ＣＰＵ（Central Processing Unit）、各種データの一時記憶等に用い
られるＲＡＭ（Random Access Memory）、および、マスクＲＯＭ（Read Only Memory）や
フラッシュメモリー、ＦｅＲＡＭ（Ferroelectric RAM：強誘電体メモリー）等の不揮発
性のメモリー等（いずれも図示せず）を備え、コンピューターとして機能するものである
。制御部２０は、ＣＰＵが不揮発性のメモリーに記憶されている制御プログラムに従って
動作することにより、プロジェクター１の動作を統括制御する。
【００２３】
入力操作部２１は、プロジェクター１に対して各種指示を行うための複数のキー等を備
えている。入力操作部２１が備えるキーとしては、電源のオン／オフを行うための「電源
キー」や、入力端子を切り替えるための「入力切替キー」、各種設定を行うためのメニュ
ー画面の表示／非表示を切り替える「メニューキー」、メニュー画面におけるカーソルの
移動等に用いられる「カーソルキー」、各種設定を決定するための「決定キー」、撮像お
よび音声の入力を開始するための「撮像開始キー」等がある。ユーザーが入力操作部２１
を操作すると、入力操作部２１は、ユーザーの操作内容に応じた操作信号を制御部２０に
出力する。なお、入力操作部２１は、リモコン信号受信部（図示せず）と遠隔操作が可能
なリモートコントローラー（図示せず）を有した構成としてもよい。この場合、リモート
コントローラーは、ユーザーの操作内容に応じた赤外線等の操作信号を発し、リモコン信
号受信部がこれを受信して制御部２０に伝達する。
【００２４】
光源制御部２２は、制御部２０の指示に基づいて、光源１１に対する電力の供給と停止
とを制御し、光源１１の点灯および消灯を切り替える。
【００２５】
通信制御部２３は、制御部２０の指示に基づいて、データ出力部としてのＵＳＢ通信部
５１から外部への出力（送信）を制御する。
【００２６】
入力端子群３０は、ビデオ再生装置やＰＣ、メモリーカード、ＵＳＢストレージ、デジ
タルカメラ等、図示しない外部の画像供給装置から、各種形式の画像信号を入力可能な複
数の入力端子３０ａを備えている。各入力端子３０ａに入力された画像信号は、入力選択
部３１に供給される。
【００２７】
入力選択部３１は、複数の入力端子３０ａのうち、制御部２０の指示に基づく１つの入
力端子３０ａを選択し、この入力端子３０ａに入力される画像信号を画像処理部３２に出
力する。ユーザーが、入力操作部２１に備わる入力切替キーを操作して所望の入力端子３
０ａを指定すると、制御部２０は、この入力端子３０ａに入力されている画像信号が画像
処理部３２に出力されるよう、入力選択部３１に指示をする。
【００２８】
画像処理部３２は、入力選択部３１から入力される画像信号を、液晶ライトバルブ１２
の各画素の階調を表す画像データ、即ち各画素に印加する駆動電圧を規定するための画像
データに変換する。そして、制御部２０の指示に基づいて、変換した画像データに対して
、明るさ、コントラスト、シャープネス、色合い等の調整や、ガンマ補正等の各種画質調
整等を行う。さらに、画像処理部３２では、必要に応じてＯＳＤ（オンスクリーンディス
プレイ）画像を画像データに重畳する処理を行う。画像処理部３２は、このような調整お
よび処理を行った画像データをライトバルブ駆動部１４に出力する。
【００２９】
ライトバルブ駆動部１４が、画像処理部３２から入力される画像データに従って液晶ラ
イトバルブ１２を駆動すると、液晶ライトバルブ１２は、画像データに応じた画像を形成
し、この画像が投写レンズ１３から投写される。
【００３０】
撮像部４０は、ＣＣＤ（Charge Coupled Device）カメラを有して構成されており、プ
ロジェクター１の投写レンズ１３と同一の側面に備えられている。撮像部４０は、制御部
２０の指示に基づいて、投写画像領域を含む領域を撮像し、エンコーダー部５０に撮影画
像を撮影画像データとして出力する。なお、撮像部４０は、ＣＣＤカメラに限定するもの
ではなく、他の撮像デバイスを用いても良い。
【００３１】
音声入力部４２は、制御部２０の指示に基づいて、マイク４１から音声を入力し、エン
コーダー部５０に音声データとして出力する。
【００３２】
エンコーダー部５０は、制御部２０の指示に基づいて、撮像部４０から入力された撮影
画像データ、および音声入力部４２から入力された音声データを符号化して符号化データ
を生成する。ここで、符号化の処理には多重化の処理も含むものとする。本実施形態では
、符号化方式は、ＭＰＥＧ（Moving Picture Experts Group）２やＭＰＥＧ４等とする。
エンコーダー部５０は、生成した符号化データをＵＳＢ通信部５１に出力する。なお、符
号化方式はＭＰＥＧ２やＭＰＥＧ４に限定するものではない。
【００３３】
ＵＳＢ通信部５１は、ＵＳＢ規格に準拠した通信手段であり、ＵＳＢケーブルＵＣを介
して外部のＰＣ２００と接続されている。ＵＳＢ通信部５１は、通信制御部２３の指示に
基づいて、エンコーダー部５０から入力された符号化データを、ＰＣ２００に送信する。
【００３４】
ＰＣ２００は、符号化データを受信すると、その符号化データを記録媒体に記録したり
、復号化して再生したりする。
【００３５】
次に、プロジェクター１による画像の投写、および撮像について説明する。図２は、プ
ロジェクター１が画像投写して撮像する様子を上方から見た平面図である。
【００３６】
図２に示すように、プロジェクター１の前面（平面図視右側）には、投写レンズ１３、
撮像部４０、およびマイク４１が備えられている。そして、プロジェクター１にはＰＣ２
００が接続されている。また、プロジェクター１の前方（平面図視右側）には、スクリー
ンＳＣが配置されている。さらに、スクリーンＳＣの前（平面図視左側）には、プレゼン
テーションを行うプレゼンターＰＴが位置している。
【００３７】
ＰＣ２００は、例えば、プレゼンテーションソフトウェア（図示せず）を有しており、
プレゼンテーションの画像信号をプロジェクター１に出力する。ＰＣ２００から出力され
た画像信号は、プロジェクター１に入力する。プロジェクター１は、入力された画像信号
に基づいた画像を投写レンズ１３からスクリーンＳＣに投写する。図２では、投写画像領
域を破線で示している。プレゼンターＰＴは、このようにスクリーンＳＣに投写された画
像に基づいてプレゼンテーションを実施することができる。
【００３８】
ここで、入力操作部２１に備わる撮像開始キーが押下されると、制御部２０は、撮像部
４０に撮像開始の指示を行う。さらに、制御部２０は、音声入力部４２にマイク４１から
の音声の入力開始の指示を行う。さらに、制御部２０は、エンコーダー部５０に、撮影画
像データおよび音声データの符号化を開始して符号化データを生成するように指示を行う
。そして、制御部２０は、通信制御部２３に、ＵＳＢ通信部５１から外部への符号化デー
タの送信を開始させるように指示を行う。
【００３９】
上述したように撮像開始の指示が行われると、撮像部４０は、投写画像領域を含む領域
を撮像する。図２では、撮像領域を一点鎖線で示している。これにより、プロジェクター
１は、スクリーンＳＣに投写された投写画像、およびプレゼンターＰＴを含んだプレゼン
テーション会場の画像を撮像することができる。また、マイク４１は、プレゼンターＰＴ
の声やプレゼンテーション会場の音声を入力する。そして、撮影画像および音声は、プロ
ジェクター１によって符号化データに変換され、ＰＣ２００にＵＳＢケーブルＵＣを介し
て送信される。
【００４０】
ＰＣ２００では、受信した符号化データを内蔵するＨＤＤ（Hard Disk Drive）２００
ａ（図１には図示せず）に記録したり、復号化して再生したりする。また、ＰＣ２００が
ネットワーク（図示せず）に接続されていれば、ネットワークに符号化データを送信する
ことも可能である。
【００４１】
上述した第１の実施形態によれば、以下の効果が得られる。
（１）プロジェクター１は、ＰＣ２００から入力した画像信号に応じた画像を投写する
。そして、プロジェクター１は、撮像部４０によって、投写画像領域を含む領域を撮像す
る。また、マイク４１によって、音声を入力する。そして、プロジェクター１は、撮影画
像および音声を符号化して符号化データを生成する。そして、プロジェクター１は、ＵＳ
Ｂ通信部５１から符号化データをＰＣ２００へ出力する。ＰＣ２００は、符号化データを
ＨＤＤ２００ａに記録したり、復号化して再生したりする。これにより、プロジェクター
１とＰＣ２００という装置構成のシステムによって、画像の投写と、投写画像およびプレ
ゼンターＰＴを含むプレゼンテーション会場の様子の撮像と、プレゼンテーション会場の
音声の入力と、撮影画像および音声の符号化データへの変換と、その符号化データの記録
／再生とを実現することができる。つまり、簡易な装置構成で、プレゼンテーションを実
施しながら、その撮影画像および音声を符号化し、会議録として記録したり、再生したり
することができるため、利便性が高い。また、装置の設置や配線の煩雑さを低減すること
が可能となるため、ユーザーは、容易にシステムを構成することができる。
【００４２】
（２）ＰＣ２００がネットワークに接続されていれば、プロジェクター１から入力した
符号化データをネットワークに送信することができる。これにより、簡易な装置構成のシ
ステムによって、ストリーミング配信を行うことが可能になるため、有益である。
【００４３】
（３）プロジェクター１は、ＵＳＢ通信部５１によって、ＵＳＢ規格に準拠した通信手
段で、符号化データをプロジェクター１の外部に出力する。つまり、ＵＳＢケーブルＵＣ
を介して、符号化データをＰＣ２００に送信することができる。これにより、簡易な配線
で、符号化データを高速に送信することができる。
【００４４】
（第２の実施形態）
以下、第２の実施形態について説明する。
【００４５】
第２の実施形態に係るプロジェクター２の構成は、第１の実施形態に係るプロジェクタ
ー１のＵＳＢ通信部５１の代わりに、ネットワーク通信部５２を備えた構成とする。その
他の構成は、第１の実施形態と同様である。
図３は、第２の実施形態に係るプロジェクター２の概略構成を示すブロック図である。
図３を使用して、プロジェクター２の構成および動作について説明する。
【００４６】
図３に示すように、プロジェクター２は、データ出力部としてネットワーク通信部５２
を備えている。その他の機能構成部はプロジェクター１と同様であり、同様の機能構成部
には同様の符号を付記している。また、図３では、プロジェクター２の外部にネットワー
ク３００、および、情報機器３１０を図示している。
【００４７】
ネットワーク通信部５２は、ＩＰネットワーク通信を用いた通信手段であり、ネットワ
ークケーブルＮＣを介して外部のネットワーク３００と接続されている。ネットワーク通
信部５２は、通信制御部２３からの指示に基づいて、エンコーダー部５０から入力された
符号化データを、ネットワーク３００に送信する。ここで、ネットワーク通信部５２は、
例えば、ＴＣＰ／ＩＰ（Transmission Control Protocol/Internet Protocol）といった
プロトコルを用いてネットワーク３００と接続して通信を行うものとする。
【００４８】
本実施形態では、図３のように、ネットワーク３００に、情報機器３１０が接続されて
いる。ここで、情報機器３１０は、例えば、ＰＣや他のプロジェクター等とする。このよ
うな構成によれば、情報機器３１０は、プロジェクター２からネットワーク３００に送信
された符号化データを受信することができる。そして、情報機器３１０は、受信した符号
化データを記録したり、復号化して視聴したりすることができる。
【００４９】
上述した第２の実施形態によれば、以下の効果が得られる。
（１）プロジェクター２は、入力した画像信号に応じた画像を投写する。そして、撮像
部４０によって、投写画像領域を含む領域を撮像する。また、マイク４１によって、音声
を入力する。そして、プロジェクター２は、撮影画像および音声を符号化して符号化デー
タを生成する。そして、プロジェクター２は、ネットワーク通信部５２からネットワーク
３００に、符号化データを出力する。これにより、プロジェクター２と画像供給装置（図
示せず）という装置構成のシステムによって、画像の投写と、投写画像およびプレゼンタ
ーＰＴを含むプレゼンテーション会場の様子の撮像と、プレゼンテーション会場の音声の
入力と、撮影画像および音声の符号化データへの変換と、その符号化データのネットワー
ク３００への送信とを実現することができる。つまり、簡易な装置構成で、プレゼンテー
ションを実施しながら、その映像と音声とを符号化して、符号化データをネットワーク３
００に送信することが可能となる。そして、送信された符号化データは、情報機器３１０
で受信して視聴したり、会議録として記録したりすることができるため、利便性が高い。
また、装置の設置や配線の煩雑さを低減することが可能となるため、ユーザーは、容易に
システムを構成することができる。
【００５０】
（２）プロジェクター２は、ネットワーク通信部５２によって、ＩＰネットワーク通信
を用いた通信手段で、符号化データをプロジェクター２の外部に出力する。即ち、ネット
ワークケーブルＮＣを介して、符号化データをネットワーク３００に送信することができ
る。これにより、簡易な配線で、符号化データを高速に送信することができる。
【００５１】
（３）プロジェクター２からネットワーク３００に送信された符号化データは、情報機
器３１０で受信することができる。つまり、プロジェクター２は、符号化データをストリ
ーミング配信することが可能であり、情報機器３１０は、符号化データをほぼリアルタイ
ムで受信して復号化し、視聴することができるため、利便性が高い。
【００５２】
（第３の実施形態）
以下、第３の実施形態について説明する。
【００５３】
第３の実施形態に係るプロジェクター３の構成は、第１の実施形態に係るプロジェクタ
ー１のＵＳＢ通信部５１の代わりに、携帯電話端末通信部５３を備えた構成とする。その
他の構成は、第１の実施形態と同様である。
図４は、第３の実施形態に係るプロジェクター３の概略構成を示すブロック図である。
図４を使用して、プロジェクター３の構成および動作について説明する。
【００５４】
図４に示すように、プロジェクター３は、データ出力部として携帯電話端末通信部５３
を備えている。その他の機能構成部はプロジェクター１と同様であり、同様の機能構成部
には同様の符号を付記している。また、図４では、プロジェクター３の外部に、携帯電話
端末４００を図示している。
【００５５】
携帯電話端末通信部５３は、携帯電話端末とデータ通信を行うための通信手段であり、
インターフェースコネクター（図示せず）を介して、携帯電話端末４００と接続されてい
る。携帯電話端末通信部５３は、通信制御部２３からの指示に基づいて、エンコーダー部
５０から入力された符号化データを、携帯電話端末４００に送信する。
【００５６】
本実施形態では、インターフェースコネクターはプロジェクター３に実装されており、
携帯電話端末４００は当該インターフェースコネクターに装着可能となっている。このよ
うな構成によれば、携帯電話端末４００は、プロジェクター３から送信された符号化デー
タを受信することができる。そして、携帯電話端末４００は、受信した符号化データを記
録したり、インターネット等に送信したりすることができる。送信方法としては、パケッ
ト通信を用いて送信してもよいし、無線ＬＡＮ（Local Area Network）機能を備えた携帯
電話端末４００であれば、無線ＬＡＮを介してインターネット（または、イントラネット
）に送信してもよい。
【００５７】
上述した第３の実施形態によれば、以下の効果が得られる。
（１）プロジェクター３は、入力した画像信号に応じた画像を投写する。そして、撮像
部４０によって、投写画像領域を含む領域を撮像する。また、マイク４１によって、音声
を入力する。そして、プロジェクター３は、撮影画像および音声を符号化して符号化デー
タを生成する。そして、プロジェクター３は、携帯電話端末通信部５３から符号化データ
を携帯電話端末４００に出力する。これにより、プロジェクター３と携帯電話端末４００
と画像供給装置（図示せず）という装置構成のシステムで、画像の投写と、投写画像およ
びプレゼンターＰＴを含むプレゼンテーション会場の様子の撮像と、プレゼンテーション
会場の音声の入力と、撮影画像および音声の符号化データへの変換と、その符号化データ
のインターネット（またはイントラネット）への送信とを実現することができる。つまり
、簡易な装置構成で、プレゼンテーションを実施しながら、その映像と音声とを符号化し
て、符号化データをインターネット等に送信することができるため、利便性が高い。また
、装置の設置や配線の煩雑さを低減することが可能となるため、ユーザーは、容易にシス
テムを構成することができる。
【００５８】
（２）プロジェクター３は、携帯電話端末通信部５３によって、携帯電話端末とデータ
通信を行うための通信手段で、符号化データを携帯電話端末４００に出力する。つまり、
プロジェクター３から、インターフェースコネクターを介して、携帯電話端末４００に符
号化データを送信することができる。このように、プロジェクター３に携帯電話端末４０
０を装着することにより、符号化データを送信することができるため、プロジェクター３
からの出力のための配線を不要にすることが可能となり、利便性が高い。
【００５９】
（３）プロジェクター３から携帯電話端末４００を介してインターネット等に送信され
た符号化データは、図示しない他の情報機器等で受信することができる。つまり、プロジ
ェクター３は、符号化データをストリーミング配信することが可能であり、情報機器は、
符号化データをほぼリアルタイムで受信して視聴することができるため、利便性が高い。
【００６０】
（４）プロジェクター３から携帯電話端末４００に送信された符号化データは、携帯電
話端末４００内部の記録媒体（例えばメモリーカード等）に会議録として記録することも
可能であり、有益である。
【００６１】
なお、上述した実施形態に限定されず、種々の変更や改良等を加えて実施することが可
能である。変形例を以下に述べる。
【００６２】
（変形例１）上記第１の実施形態では、ＰＣ２００から画像信号を入力するものとした
が、他の画像供給装置から入力してもよい。例えば、ビデオ再生装置や、メモリーカード
、ＵＳＢストレージ、デジタルカメラ等としてもよい。特に、メモリーカードやＵＳＢメ
モリー等であれば、画像供給装置との配線を不要にすることができるため、システムの装
置構成を簡易化することが可能となり、第２の実施形態や第３の実施形態においても利便
性が高い。
【００６３】
（変形例２）上記第１の実施形態では、ＰＣ２００からプロジェクター１に画像信号を
送信するケーブルと、プロジェクター１からＰＣ２００に符号化データを送信するＵＳＢ
ケーブルＵＣとは別のケーブルとしている。しかし、ＰＣ２００からプロジェクター１に
ＵＳＢによって画像信号を送信可能なＵＳＢファンクションが実装されていれば、プロジ
ェクター１からＰＣ２００に符号化データを送信するＵＳＢファンクションと合わせて、
マルチファンクションとして機能させることが可能となる。これにより、ＰＣ２００とプ
ロジェクター１とを、１つのＵＳＢケーブルで接続することが可能となる。よって、装置
間の配線を簡易化することができる。
【００６４】
（変形例３）上記実施形態では、撮像部４０で撮像された撮影画像と、マイク４１から
入力された音声とを、エンコーダー部５０で符号化するものとしたが、いずれか一方のみ
を符号化するものとしてもよい。例えば、マイク４１および音声入力部４２を備えないも
のとして、撮像部４０が撮像した撮影画像のみを符号化してもよい。
【００６５】
（変形例４）上記第１の実施形態では、入力操作部２１に備わる撮像開始キーが押下さ
れると、撮像を開始するものとしたが、撮像開始のためのトリガーは、撮像開始キーに限
定するものではない。例えば、プロジェクター１の電源オン操作をトリガーとしてもよい
。また、プロジェクター１にソフトウェアとして実装する設定メニューに、「撮像開始」
項目を設け、入力操作部２１に備わるメニューキー、カーソルキー、および決定キー等を
操作することによって、撮像を開始してもよい。
【００６６】
（変形例５）上記第１の実施形態では、プロジェクター１からＰＣ２００に符号化デー
タを送信するＵＳＢケーブルＵＣは、有線ケーブルとしていたが、無線のＵＳＢ（Wirele
ss USB）を用いてもよい。こうすれば、ケーブルを使用しないため、装置間の配線が不要
となり、装置の設置場所の自由度が向上する。
【００６７】
（変形例６）上記実施形態では、光変調装置として、透過型の液晶ライトバルブ１２を
用いているが、反射型の液晶ライトバルブ等、反射型の光変調装置を用いることも可能で
ある。また、入射した光の射出方向を、画素としてのマイクロミラー毎に制御することに
より、光源から射出した光を変調する微小ミラーアレイデバイス等を用いることもできる
。
【図面の簡単な説明】
【００６８】
【図１】第１の実施形態に係るプロジェクターの概略構成を示すブロック図。
【図２】プロジェクターが画像投写して撮像する様子を上方から見た平面図。
【図３】第２の実施形態に係るプロジェクターの概略構成を示すブロック図。
【図４】第３の実施形態に係るプロジェクターの概略構成を示すブロック図。
【符号の説明】
【００６９】
１，２，３…プロジェクター、１０…画像投写部、１１…光源、１２…液晶ライトバル
ブ、１３…投写レンズ、１４…ライトバルブ駆動部、２０…制御部、２１…入力操作部、
２２…光源制御部、２３…通信制御部、３０…入力端子群、３０ａ…入力端子、３１…入
力選択部、３２…画像処理部、４０…撮像部、４１…マイク、４２…音声入力部、５０…
エンコーダー部、５１…ＵＳＢ通信部、５２…ネットワーク通信部、５３…携帯電話端末
通信部、２００…ＰＣ、２００ａ…ＨＤＤ、３００…ネットワーク、３１０…情報機器、
４００…携帯電話端末。
【図１】
2010178254.tif 000003
【図２】
2010178254.tif 000004
【図３】
2010178254.tif 000005
【図４】
2010178254.tif 000006